【手続補正書】
【提出日】平成28年5月17日(2016.5.17)
【手続補正１】
【補正対象書類名】特許請求の範囲
【補正対象項目名】請求項６
【補正方法】変更
【補正の内容】
【請求項６】
前記パラメータ取得手段として、前記印刷システムによって印刷された特性パラメータ取得用チャートの読取画像を解析することにより前記パラメータを取得する画像解析手段を備える、請求項３から５のいずれか一項に記載の画像処理装置。
【手続補正２】
【補正対象書類名】特許請求の範囲
【補正対象項目名】請求項７
【補正方法】変更
【補正の内容】
【請求項７】
前記特性パラメータ取得用チャートは、二つ以上のドットを接触させて記録される連続ドットのパターンを含み、
前記パラメータ取得手段は、前記連続ドットのパターンから着弾干渉に関するパラメータを取得する請求項６に記載の画像処理装置。
【手続補正３】
【補正対象書類名】明細書
【補正対象項目名】００３２
【補正方法】変更
【補正の内容】
【００３２】
第６態様として、第３態様から第５態様のいずれか一態様の画像処理装置において、パラメータ取得手段として、印刷システムによって印刷された特性パラメータ取得用チャートの読取画像を解析することによりパラメータを取得する画像解析手段を備える構成とすることができる。
【手続補正４】
【補正対象書類名】明細書
【補正対象項目名】００３３
【補正方法】変更
【補正の内容】
【００３３】
第７態様として、第６態様の画像処理装置において、特性パラメータ取得用チャートは、二つ以上のドットを接触させて記録される連続ドットのパターンを含み、パラメータ取得手段は、連続ドットのパターンから着弾干渉に関するパラメータを取得する構成とすることができる。
【手続補正５】
【補正対象書類名】明細書
【補正対象項目名】００７０
【補正方法】変更
【補正の内容】
【００７０】
【図１】図１は本発明の実施形態に係る印刷システムの構成例を示したブロック図である。
【図２】図２は画像処理装置のハードウェア構成例を示すブロック図である。
【図３】図３は第１の実施形態による画像処理装置の機能を説明するためのブロック図である。
【図４】図４はハーフトーン処理規則の生成方法の一例を示すフローチャートである。
【図５】図５は特性パラメータ取得用チャートの一例を示す図である。
【図６】図６は図５の特性パラメータ取得用チャートの描画に用いたシリアルスキャン型のインクジェット印刷装置の平面模式図である。
【図７】図７は着弾干渉に関する特性パラメータの説明図である。
【図８】図８はドット間距離の関数として表される着弾干渉のパラメータの例を示す図である。
【図９】図９は複数の要求項目に対する各種ハーフトーンアルゴリズムの得失を示す図表である。
【図１０】図１０はハーフトーンパラメータの生成処理に関するフローチャートである。
【図１１】図１１はシミュレーション画像の概念図である。
【図１２】図１２（Ａ）は８回の走査パスで描画を行う作画モードにおける打滴の順番をパスの番号で示したものであり、図１２（Ｂ）は図１２（Ａ）で示した作画モードで描画を行う場合の第１パスの画素のドットに所定量の誤差を付加する場合の概念図である。
【図１３】図１３は図１２（Ａ）で示した作画モードで描画を行う場合の第３パスに属する画素のドットについてドット径が所定量だけ小さくなる誤差を付与する場合の説明図である。
【図１４】図１４はボイドアンドクラスタ法（Void-and-Cluster法）を用いてディザマスクを作成する例のフローチャートである。
【図１５】図１５はハーフトーン選択用チャートの例を示す模式図である。
【図１６】図１６はＤＢＳ法によるハーフトーン選択用チャートのハーフトーン画像を生成する手順を示したフローチャートである。
【図１７】図１７は各種ハーフトーン処理規則の定性的な傾向を示したグラフである。
【図１８】図１８はシステムの不安定性に対する耐性と粒状性との関係を示したグラフである。
【図１９】図１９は第２の実施形態による画像処理装置の機能を説明するためのブロック図である。
【図２０】図２０はハーフトーン処理規則の生成方法の他の例を示すフローチャートである。
【図２１】図２１は特性パラメータ取得用チャートの他の例を示す図である。
【図２２】図２２は図２１の特性パラメータ取得用チャートの描画に用いたシングルパス型のインクジェット印刷装置の平面模式図である。
【図２３】図２３はキャリッジ移動に伴うヘッド振動誤差を測定するためのチャートの例を示す模式図である。
【図２４】図２４は記録位置のズレ量を示す説明図である。
【図２５】図２５はヘッド振動誤差の例を示すグラフであり、図２５（Ａ）は主走査方向の位置ズレ量を示し、図２５（Ｂ）は副走査方向の位置ズレ量を示すグラフである。
【図２６】図２６は用紙搬送誤差を測定するためのチャートの例を示す模式図である。
【図２７】図２７は用紙搬送誤差の測定値の分布の例を示す分布図である。
【図２８】図２８はシングルパス方式におけるヘッド振動誤差のパラメータを取得するためのチャートの例を示す模式図である。
【図２９】図２９はヘッドモジュール取付誤差のパラメータを取得するためのチャートの例を示す模式図である。
【図３０】図３０（Ａ）はドット列の重心位置のズレを説明するための模式図であり、図３０（Ｂ）はドット列の傾き角度の説明図である。
【図３１】図３１はシステム誤差分布とシミュレーション画像の生成に反映させるランダムシステム誤差の水準との関係を示したグラフである。
【図３２】図３２は複数のランダムシステム誤差の水準と重み係数の関係を説明するための説明図である。
【図３３】図３３は主走査方向及び副走査方向の二次元の誤差分布を濃淡で表した図である。
【図３４】図３４は図３３に示した二次元の誤差分布における主走査方向に沿った誤差分布断面図である。
【図３５】図３５は図３３に示した二次元の誤差分布における副走査方向に沿った誤差分布断面図である。
【図３６】図３６は第３の実施形態による画像処理装置の要部を示すブロック図である。
【図３７】図３７は図４に示したハーフトーン処理規則の生成方法の他の例を示すフローチャートである。
【図３８】図３８は図３７に示したフローチャートにおける入力工程に使用される入力画面の一例を示す説明図である。
【図３９】図３９は図３８に示した入力画面におけるドット形状項目の他の例を示す説明図である。
【図４０】図４０は図１１に示したシミュレーション画像を生成する際に着弾干渉の影響を反映させる態様におけるフローチャートである。
【図４１】図４１は８回の走査パスで描画を行う作画モードにおける打滴の順番をパスの番号で示した概念図である。
【図４２】図４２はシミュレーション画像の生成において第１パスにより打滴された    ドットの配置を示すシミュレーション画像の概念図である。
【図４３】図４３（Ａ）はシミュレーション画像の生成において第２パスまでに打滴されたドットの配置を示すシミュレーション画像の概念図である。図４３（Ｂ）は着弾干渉の影響を反映させてドットが再配置されたドットの配置を示すシミュレーション画像の概念図である。
【図４４】図４４（Ａ）はシミュレーション画像の生成において第３パスまでに打滴されたドットの配置を示すシミュレーション画像の概念図である。図４４（Ｂ）は着弾干渉の影響を反映させてドットが再配置されたドットの配置を示すシミュレーション画像の概念図である。
【図４５】図４５はドット間距離の説明図である。
【図４６】図４６は式（１１）から式（１４）に用いられる関数の説明図である。
【図４７】図４７（Ａ）はドットの形状を含めた着弾干渉による変化を示す概念図であり、着弾干渉が発生していない場合の二つのドットの中心間距離と濃度最大点間距離との関係を示す図である。図４７（Ｂ）はドットの形状を含めた着弾干渉による変化を示す概念図であり、着弾干渉が発生している場合の二つのドットの中心間距離と濃度最大点間距離との関係を示す図である。
【図４８】図４８は図４７（Ｂ）のドットを平面視した際のドットの模式図である。
【手続補正６】
【補正対象書類名】明細書
【補正対象項目名】０２１３
【補正方法】変更
【補正の内容】
【０２１３】
誤差拡散マトリクスの適用階調区間は、例えば、８ビット階調の場合に、０−５０、５１−１００、１０１−１５０、１５１−２００、２０１−２５５の５段階に分けることができる。適用階調区間の区切り方は様々な定め方が可能であり、２以上の整数ｍとしてｍ段階に均等区分してもよいし、不均等な任意の階調領域に区分けしてもよい。
【手続補正７】
【補正対象書類名】明細書
【補正対象項目名】０２２３
【補正方法】変更
【補正の内容】
【０２２３】
まず、ハーフトーンの初期画像を準備する（ステップＳ４２）。ハーフトーンの初期画像の生成方法は、公知のVoid-and-Cluster法に従う。つまり、ある特定階調のシミュレーション画像にフィルタを畳み込んだエネルギー画像において、エネルギー最大値の画素をドットが密なクラスタ画素と見なし、エネルギー最小画素をドットが疎なボイド画素と見なし、クラスタ画素とボイド画素の交換を繰り返すことにより、初期画像が生成される。特定階調としては、例えば、最大濃度の５０％程度の階調値とし、０−２５５階調で表現される画像データにおける階調値「１２８」の初期画像を生成する。
【手続補正８】
【補正対象書類名】明細書
【補正対象項目名】０２３８
【補正方法】変更
【補正の内容】
【０２３８】
本例のハーフトーン選択用チャート１５０では２種類のハーフトーン処理規則のそれぞれのハーフトーン処理に関して、Ｃ、Ｍ、Ｙ、Ｋの各１次色について、階調値０から２５５の階調域を「１６」刻みで１６段階に分けた合計３２個の１次色パッチ１５１、１５２が並んでいる。
【手続補正９】
【補正対象書類名】明細書
【補正対象項目名】０２３９
【補正方法】変更
【補正の内容】
【０２３９】
図１５では、図示の便宜上、階調ステップの一部を省略して、パッチ数を減じて描いているが、ＣＭＹＫの各色について、階調値１６、３２、４８、６４、８０、９６、１１２、１２８、１４４、１６０、１７６、１９２、２０８、２２４、２４０、２５５の各階調値に対応する１次色パッチ１５１、１５２が記録される。符号１５１は、第１のハーフトーン処理規則の処理結果による１次色パッチを示し、符号１５２は第２のハーフトーン処理規則の処理結果による１次色パッチを示している。
【手続補正１０】
【補正対象書類名】明細書
【補正対象項目名】０４３４
【補正方法】変更
【補正の内容】
【０４３４】
図３８に示した入力画面３２Ａは、ドット濃度の平均値（若しくは平均相当値）の入力欄３３Ａ、ドット濃度の偏差の入力欄３３Ｂ、ドット径の平均値（若しくは平均相当値）の入力欄３３Ｃ、ドット径の偏差の入力欄３３Ｄ、ドット形状の平均値（若しくは平均相当値）の入力欄３３Ｅ、ドット形状の偏差の入力欄３３Ｆ、ドット形成位置ズレの平均値（若しくは平均相当値）の入力欄３３Ｇ、ドット形成位置ズレの偏差の入力欄３３Ｈ、滴種ごとの位置ズレの平均値（若しくは平均相当値）の入力欄３３Ｋ、滴種ごとの位置ズレの偏差の入力欄３３Ｌ、記録ヘッド振動（ヘッド振動）の平均値（若しくは平均相当値）の入力欄３３Ｍ、及び記録ヘッド振動の偏差の入力欄３３Ｎが設けられている。
【手続補正１１】
【補正対象書類名】明細書
【補正対象項目名】０５３０
【補正方法】変更
【補正の内容】
【０５３０】
<<実施形態の組み合わせについて>>
上述した各実施形態や変形例、或いは他の構成例等として説明した構成を適宜組み合わせた構成を採用することが可能である。例えば、第１実施形態から第３実施形態の構成を適宜組み合わせることができる。
【手続補正１２】
【補正対象書類名】図面
【補正対象項目名】図１５
【補正方法】変更
【補正の内容】
【図１５】
2016066987.tif 000001